(57)【要約】【課題】  ２つのＣＰＵから共有する液晶表示部に表示を行う場合に生じる処理速度の低下を防止し、電池の無駄な消費を防止する。【解決手段】複数のデバイス１０５、１０７からの表示データを液晶表示部１０９に表示させる液晶表示部制御装置において、複数の前記デバイスにそれぞれ並列に接続され、各前記デバイスから送られる表示データを格納する複数の表示データ格納部２０３、２０４と、複数の前記表示データ格納部から表示データを読み出し、前記液晶表示部に転送し、前記液晶表示部の表示領域毎に表示する制御を行う制御回路２０５とを備える。【選択図】図１
2006079013.tif 000002
【特許請求の範囲】
【請求項１】
複数のデバイスからの表示データを液晶表示部に表示させる液晶表示部制御装置において、
複数の前記デバイスにそれぞれ並列に接続され、各前記デバイスから送られる表示データを格納する複数の表示データ格納部と、
複数の前記表示データ格納部から表示データを読み出し、前記液晶表示部に転送し、前記液晶表示部の表示領域毎に表示する制御を行う制御回路とを備える液晶表示部制御装置。
【請求項２】
複数の前記デバイスの任意の１つに前記液晶表示部制御装置を内蔵させることを特徴とする、請求項２に記載の液晶表示部制御装置。
【請求項３】
複数のデバイスからの表示データを液晶表示部に表示させる液晶表示部制御方法において、
複数の前記デバイスからそれぞれ並列に送られる表示データを前記液晶表示部の表示領域ごとにそれぞれ格納する工程と、
複数の前記デバイスから表示データを格納する毎に格納された表示データを読み出す工程と、
読み出した表示データを前記液晶表示部に転送し前記液晶表示部の表示領域毎に表示する工程とを備えることを特徴とする液晶表示部制御方法。
【請求項４】
表示データを表示する液晶表示部を備える携帯電話機において、
前記携帯電話機の制御を行う制御用ＣＰＵと、
アプリケーション機能を実行するアプリケーション用ＣＰＵと、
前記制御用ＣＰＵに接続され、前記制御用ＣＰＵから送られる表示データを格納する第１の表示データ格納部と、
前記アプリケーション用ＣＰＵに接続され、前記アプリケーション用ＣＰＵから送られる表示データを格納する第２の表示データ格納部と、
前記第１の表示データ格納部、前記第２の表示データ格納部から表示データを読み出し、前記液晶表示部に転送し、前記液晶表示部の表示領域毎に表示する制御を行う制御回路を備えることを特徴とする携帯電話機。
【請求項５】
前記液晶表示部のラインＡからラインＢの表示領域、ラインＢからラインＣの表示領域、ラインＣからラインＤの表示領域に対して、前記第１の表示データ格納部は、ラインＡからラインＢの表示領域、ラインＢからラインＣの表示領域、ラインＣからラインＤの表示領域に前記制御用ＣＰＵから受け取った表示データを格納し、前記第２の表示データ格納部はラインＢからラインＣの表示領域に前記アプリケーション用ＣＰＵから受け取った表示データを格納し、前記制御回路は、前記第１の表示データ格納部、前記第２の表示データ格納部が各表示領域の表示データを受け取って格納する毎に、前記第１の表示データ格納部、前記第２の表示データ格納部から表示データを読み出し前記液晶表示部に転送し表示させることを特徴とする、請求項４に記載の携帯電話機。
【請求項６】
前記制御回路は前記第１の表示データ格納部に格納されている表示データか、又は、前記第２の表示データ格納部に格納されている表示データかを判断し、判断に応じて前記第１の表示データ格納部及び前記第２の表示データ格納部の一方に格納されている表示領域の１ライン分の表示データを前記液晶表示部に転送し、表示させ、転送し表示したラインが表示領域の最終ラインと判断した場合、表示領域の画面分の転送、表示を終了することを特徴とする、請求項５に記載の携帯電話機。
【請求項７】
前記第１の表示データ格納部又は前記第２の表示データ格納部において、表示データを表示すべき表示領域のうち、受け取った表示データの表示領域に、表示されない表示領域がある場合には、表示されない表示領域の部分を除き、表示される表示領域の部分だけについて、前記第１の表示データ格納部又は前記第２の表示データ格納部に格納すべき表示領域を確保することを特徴とする、請求項６に記載の携帯電話機。
【請求項８】
前記第１の表示データ格納部内又は前記第２の表示データ格納部内にマスクデータのエリアを設け、前記第１の表示データ格納部に格納されている表示データ及び前記第２の表示データ格納部に格納されている表示データの一方をマスクし表示させず、他方を表示させることを特徴とする、請求項７に記載の携帯電話機。
【請求項９】
表示データを表示する液晶表示部を備える携帯電話機において、
前記携帯電話機の制御を行う制御用ＣＰＵと、
ゲームを行うためのアプリケーション機能を実行する第１のアプリケーション用ＣＰＵと、
テレビジョンの受信を行うためのアプリケーション機能を実行する第２のアプリケーション用ＣＰＵと、
前記制御用ＣＰＵに接続され、前記制御用ＣＰＵから送られる表示データを格納する第１の表示データ格納部と、
前記第１のアプリケーション用ＣＰＵに接続され、前記第１のアプリケーション用ＣＰＵから送られる表示データを格納する第２の表示データ格納部と、
前記第２のアプリケーション用ＣＰＵに接続され、前記第２のアプリケーション用ＣＰＵから送られる表示データを格納する第３の表示データ格納部と、
前記第１の表示データ格納部、前記第２の表示データ格納部、前記第３の表示データ格納部から表示データを読み出し、前記液晶表示部に転送し、前記液晶表示部の表示領域毎に表示する制御を行う制御回路を備えることを特徴とする携帯電話機。
【発明の詳細な説明】
【技術分野】
【０００１】
本発明は複数のデバイスが共有する液晶表示部（ＬＣＤ）の制御を行う液晶表示部制御装置に関する。特に、本発明は、デバイスの消費電流の浪費を防ぎ、デバイス間のデータ転送による処理速度の低下を防ぐ液晶表示部制御装置、方法及び液晶表示部制御装置を用いた携帯電話機に関する。
【背景技術】
【０００２】
図８は本発明の前提となる携帯電話機の概略構成を示すブロック図である。なお、全図を通して同一の構成要素には同一の番号、符号を付す。
本図に示すように、携帯電話機１００にはアンテナ１０１が設けられ、アンテナ１０１は図示しない無線基地局と送受信を行う。
アンテナ１０１には無線部１０２が接続され、無線部１０２はベースバンド信号で変調を行いアンテナ１０１に送信信号を出力し、さらに、アンテナ１０１から入力した受信信号を復調しベースバンド信号を再生する。
【０００３】
無線部１０２にはベースバンド部１０３が接続され、ベースバンド部１０３は、音声データに従ってベースバンド信号を発生し無線部１０２に出力し、無線部１０２から入力したベースバンド信号を音声データに再生する。
ベースバンド部１０３には送受話部１０４が接続され、送受話部１０４は音声を電気信号に変換し電気信号に変換した音声信号をＡＤＰＣＭ（適応型差分パルス符号変調）によって符号化された音声データをベースバンド部１０３に出力し、さらに、ベースバンド部１０３から入力した音声データをＡＤＰＣＭによる符号化と逆の手順で復号化して音声信号に変換し、音声に変換する。
【０００４】
携帯電話機１００には制御用ＣＰＵ（中央演算装置）１０５が設けられ、制御用ＣＰＵ１０５は無線部１０２に対して指定された動作モードで無線基地局との送受信の制御を行うと同時に無線部１０２、ベースバンド部１０３を含む携帯電話機１００の基本機能の制御を行う。
制御用ＣＰＵ１０５には操作キー１０６が接続され、操作キー１０６は使用者に操作され制御用ＣＰＵ１０５に操作情報を出力する。
【０００５】
さらに、制御用ＣＰＵ１０５にはアプリケーション用ＣＰＵ１０７が接続され、アプリケーション用ＣＰＵ１０７は携帯電話機１００に付加されたゲーム、画像等のアプリケーション機能を実行する。このように、２つのＣＰＵを使用するのは、アプリケーション用ＣＰＵ１０７が高機能のＣＰＵを使用するためである。
アプリケーション用ＣＰＵ１０７には液晶表示部制御装置１０８を経由して液晶表示部１０９が接続され、液晶表示部１０９はアプリケーション用ＣＰＵ１０７、液晶表示部制御装置１０８を経由して制御用ＣＰＵ１０５からのアンテナ１０１の受信状態、電池の充電状態、カレンダ、日付、時刻等の表示データを入力し表示し、さらに、液晶表示部制御装置１０８を経由してアプリケーション用ＣＰＵ１０７からのアプリケーションの表示データを入力し表示する。
【０００６】
この場合、制御用ＣＰＵ１０５及びアプリケーション用ＣＰＵ１０７が液晶表示部１０９を共有している。アプリケーション用ＣＰＵ１０７は液晶表示部１０９を管理しており、制御用ＣＰＵ１０５からの表示データを受け取り、自身のアプリケーションの表示データに重ね合わせて液晶表示部制御装置１０８に転送し、液晶表示部制御装置１０８に転送された表示データを液晶表示部１０９に表示させる必要がある。
【０００７】
しかしながら、制御用ＣＰＵ１０５の表示データを更新する度に制御用ＣＰＵ１０５とアプリケーション用ＣＰＵ１０７の間に通信が発生するため、アプリケーション用ＣＰＵ１０７の処理速度が低下するという問題がある。
さらに、アプリケーション用ＣＰＵ１０７は、高機能ＣＰＵのため、使用されていない期間をウエイク状態にしておくと、携帯電話機の電池の無駄な消費が生じるという問題がある。
【０００８】
このため、アプリケーション用ＣＰＵ１０７は使用されていない期間には電池の無駄な消費を防ぐためにスリープ状態にしておく必要がある。
しかしながら、アプリケーション用ＣＰＵ１０７がスリープ状態になっている場合、制御用ＣＰＵ１０５は、アプリケーション用ＣＰＵ１０７を経由しているので、表示データを更新しようとすると更新することができない。このため、液晶表示部１０９を管理しているアプリケーション用ＣＰＵ１０７を起動する必要がある。この起動により、アプリケーション用ＣＰＵ１０７にとっては電池の消費が生じるので無駄な消費になるという問題がある。
【０００９】
また、アプリケーション用ＣＰＵ１０７がスリープ状態になっている場合、アプリケーション用ＣＰＵ１０７を経由せず、制御用ＣＰＵ１０５をスルーモードにし制御用ＣＰＵ１０５が液晶表示部１０９を直接管理するようにすることも可能であるが、制御用ＣＰＵ１０５のスルーモード時、スルーモード以外の時で、液晶表示部１０９に対する表示データの管理方法が異なり、液晶表示部１０９の管理方法が複雑になるという問題がある。
【００１０】
すなわち、携帯電話機１００では、２つのＣＰＵ１０５、１０７から共有する液晶表示部１０９に表示を行う場合に生じるＣＰＵの処理速度の低下、携帯電話機１００の電池の無駄な消費が生じるという問題がある。
従来では、多数あるパルス入力系外部機器の出力状態を選択的に表示できるようにするため、パルス入力系外部機器（車速センサ、２番受樋スクリューコンベヤ回転センサ、扱胴回転センサ、処理胴回転センサ、エンジン回転センサ）及び出力系外部機器を接続したコントローラユニットと、液晶用コントローラユニットとを通信配線コードにて接続し、これに液晶パネル及び切替えスイッチを接続し、切替えスイッチの切替え操作に応じて、観察したい作業部のセンサのパルス数等を液晶パネルの画面に切替え表示するものがある（例えば、特許文献１参照）。
【００１１】
しかしながら、上記特許文献１では、観察したい作業部のセンサのパルス数等を液晶パネルの画面に切替え表示するが、前述のように２つのＣＰＵから共有する液晶表示部に表示を行う場合に生じる処理速度の低下、携帯電話機の電池の無駄な消費が生じるという問題を解決することができない。
また、従来では、複数の制御用演算装置で液晶タッチパネル表示器を共有する液晶タッチパネル表示器の制御方法及び装置を提供するため、複数の制御用演算装置と複数の液晶タッチパネル表示器とを同一の伝送路に接続し、制御用演算装置の伝送処理を選択的にロックすることによって液晶タッチパネル表示器のインターフェース先を切り替えるものがある（例えば、特許文献２参照）。
【００１２】
しかしながら、上記特許文献２では、液晶タッチパネル表示器のインターフェース先を切り替えるが、前述のように２つのＣＰＵから共有する液晶表示部に表示を行う場合に生じる処理速度の低下、携帯電話機の電池の無駄な消費が生じるという問題を解決することができない。
また、従来では、撮影画像の表示とＳＤＲＡＭからの読み出しデータの表示を切り換えるため、ＳＤＲＡＭ制御回路はＳＤＲＡＭからデータを読み出し、そのデータは、データ読み出し回路、ＦＩＦＯメモリ及びＴＦＴタイミング制御回路を介して表示データ切り替え回路に印加され、データ読出し回路は、ＴＦＴタイミング制御回路から出力されるＬＣＤ＿ＣＬＫのカウント値が７"になった時点で、ＳＤＲＡＭからの８ワードのバースト転送を開始し、撮像素子の出力画像は、ＣＤＳ／ＡＧＣ＆ＡＤ回路、デジタルカメラ機能ＩＣ及び画像データ変換回路を介して表示データ切り替え回路に印加され、回路は一方を選択してＴＦＴ液晶表示装置に印加するものがある（例えば、特許文献３参照）。
【００１３】
しかしながら、上記特許文献３では、撮影画像の表示とＳＤＲＡＭからの読み出しデータの表示を切り換えてＴＦＴ液晶表示装置に表示するが、前述のように２つのＣＰＵから共有する液晶表示部に表示を行う場合に生じる処理速度の低下、携帯電話機の電池の無駄な消費が生じるという問題を解決することができない。
また、従来では、複数の種類の画像データを取り扱うＬＣＤコントローラに対して遅延なく安定して画像データが供給可能な半導体集積回路装置、マイクロコンピュータ及び電
子機器を提供するため、半導体集積回路装置内蔵のＬＣＤコントローラの第１の画像データ入力口は第１の画像データが流れる信号線に接続され、第２の画像データ入力口は第２の画像データ専用の専用バスに接続され、第２の画像データ処理モジュールとＬＣＤコントローラが使用可能な共有ＲＡＭを含み、前記第２の画像データ処理モジュールとＬＣＤコントローラと共有ＲＡＭは、前記専用バスを介して接続され、第２の画像データ処理モジュールとＬＣＤコントローラ間の第２の画像データのやりとりを前記共有ＲＡＭを介して行うように制御するものがある（例えば、特許文献４参照）。
【００１４】
しかしながら、上記特許文献４では、複数の種類の画像データを取り扱うＬＣＤコントローラが開示されているが、前述のように２つのＣＰＵから共有する液晶表示部に表示を行う場合に生じる処理速度の低下、携帯電話機の電池の無駄な消費が生じるという問題を解決することができない。
【００１５】
【特許文献１】特開２００２−３０５９４１号公報
【特許文献２】特開２００３−１６２３７６号公報
【特許文献３】特開２００３−３３０４４３号公報
【特許文献４】特開２００４−０６１６１２号公報
【発明の開示】
【発明が解決しようとする課題】
【００１６】
したがって、本発明は上記問題点に鑑みて、２つのＣＰＵから共有する液晶表示部に表示を行う場合に生じる処理速度の低下を防止し、電池の無駄な消費を防止する携帯電話機の液晶表示部制御装置及び方法を提供することを目的とする。
【課題を解決するための手段】
【００１７】
本発明は前記問題点を解決するために、複数のデバイスからの表示データを液晶表示部に表示させる液晶表示部制御装置において、複数の前記デバイスにそれぞれ並列に接続され、各前記デバイスから送られる表示データを格納する複数の表示データ格納部と、複数の前記表示データ格納部から表示データを読み出し、前記液晶表示部に転送し、前記液晶表示部の表示領域毎に表示する制御を行う制御回路とを備える液晶表示部制御装置を提供する。
【００１８】
さらに、複数の前記デバイスの任意の１つに前記液晶表示部制御装置を内蔵させる。
さらに、本発明は、複数のデバイスからの表示データを液晶表示部に表示させる液晶表示部制御方法において、複数の前記デバイスからそれぞれ並列に送られる表示データを前記液晶表示部の表示領域ごとにそれぞれ格納する工程と、複数の前記デバイスから表示データを格納する毎に格納された表示データを読み出す工程と、読み出した表示データを前記液晶表示部に転送し前記液晶表示部の表示領域毎に表示する工程とを備えることを特徴とする液晶表示部制御方法を提供する。
【００１９】
さらに、本発明は、表示データを表示する液晶表示部を備える携帯電話機において、前記携帯電話機の制御を行う制御用ＣＰＵと、アプリケーション機能を実行するアプリケーション用ＣＰＵと、前記制御用ＣＰＵに接続され、前記制御用ＣＰＵから送られる表示データを格納する第１の表示データ格納部と、前記アプリケーション用ＣＰＵに接続され、前記アプリケーション用ＣＰＵから送られる表示データを格納する第２の表示データ格納部と、前記第１の表示データ格納部、前記第２の表示データ格納部から表示データを読み出し、前記液晶表示部に転送し、前記液晶表示部の表示領域毎に表示する制御を行う制御回路を備えることを特徴とする携帯電話機を提供する。
【００２０】
さらに、前記液晶表示部のラインＡからラインＢの表示領域、ラインＢからラインＣの表示領域、ラインＣからラインＤの表示領域に対して、前記第１の表示データ格納部は、ラインＡからラインＢの表示領域、ラインＢからラインＣの表示領域、ラインＣからラインＤの表示領域に前記制御用ＣＰＵから受け取った表示データを格納し、前記第２の表示データ格納部はラインＢからラインＣの表示領域に前記アプリケーション用ＣＰＵから受け取った表示データを格納し、前記制御回路は、前記第１の表示データ格納部、前記第２の表示データ格納部が各表示領域の表示データを受け取って格納する毎に、前記第１の表示データ格納部、前記第２の表示データ格納部から表示データを読み出し前記液晶表示部に転送し表示させる。
【００２１】
さらに、前記制御回路は前記第１の表示データ格納部に格納されている表示データか、又は、前記第２の表示データ格納部に格納されている表示データかを判断し、判断に応じて前記第１の表示データ格納部及び前記第２の表示データ格納部の一方に格納されている表示領域の１ライン分の表示データを前記液晶表示部に転送し、表示させ、転送し表示したラインが表示領域の最終ラインと判断した場合、表示領域の画面分の転送、表示を終了する。
【００２２】
さらに、前記第１の表示データ格納部又は前記第２の表示データ格納部において、表示データを表示すべき表示領域のうち、受け取った表示データの表示領域に、表示されない表示領域がある場合には、表示されない表示領域の部分を除き、表示される表示領域の部分だけについて、前記第１の表示データ格納部又は前記第２の表示データ格納部に格納すべき表示領域を確保する。
【００２３】
さらに、前記第１の表示データ格納部内又は前記第２の表示データ格納部内にマスクデータのエリアを設け、前記第１の表示データ格納部に格納されている表示データ及び前記第２の表示データ格納部に格納されている表示データの一方をマスクし表示させず、他方を表示させる。
さらに、本発明は、表示データを表示する液晶表示部を備える携帯電話機において、前記携帯電話機の制御を行う制御用ＣＰＵと、ゲームを行うためのアプリケーション機能を実行する第１のアプリケーション用ＣＰＵと、テレビジョンの受信を行うためのアプリケーション機能を実行する第２のアプリケーション用ＣＰＵと、前記制御用ＣＰＵに接続され、前記制御用ＣＰＵから送られる表示データを格納する第１の表示データ格納部と、前記第１のアプリケーション用ＣＰＵに接続され、前記第１のアプリケーション用ＣＰＵから送られる表示データを格納する第２の表示データ格納部と、前記第２のアプリケーション用ＣＰＵに接続され、前記第２のアプリケーション用ＣＰＵから送られる表示データを格納する第３の表示データ格納部と、前記第１の表示データ格納部、前記第２の表示データ格納部、前記第３の表示データ格納部から表示データを読み出し、前記液晶表示部に転送し、前記液晶表示部の表示領域毎に表示する制御を行う制御回路を備えることを特徴とする携帯電話機を提供する。
【発明の効果】
【００２４】
以上説明したように、本発明によれば、各デバイス又はＣＰＵから送られてくる表示データを液晶表示部の表示領域毎に切り換えて、各デバイス又はＣＰＵは表示データを書き換える時だけ表示データを転送すればよくなるので、デバイス又はＣＰＵを可能な限りスリープ状態にさせ電池の無駄な消費を防止することが可能になる。
さらに、デバイス又はＣＰＵ間での表示データの転送を不要としたので、デバイス又はＣＰＵの処理速度の低下を防止することが可能になる。
【発明を実施するための最良の形態】
【００２５】
以下、本発明の実施の形態について図面を参照して説明する。
図１は本発明に係る表示データ転送装置の概略構成を示すブロック図である。本図に示すように、電池で駆動する携帯用の表示データ転送装置１００Ａには２つのデバイス１０５、デバイス１０７が設けられ、デバイス１０５、デバイス１０７はそれぞれＣＰＵ（中央演算装置）で構成され、異なるアプリケーション機能を有する。
【００２６】
デバイス１０５、デバイス１０７には液晶表示部制御装置１０８Ａが並列に接続され、液晶表示部制御装置１０８Ａはデバイス１０５、デバイス１０７から表示データ等を個別に入力し、表示領域毎に切り換えて表示を制御する機能を有する。
液晶表示部制御装置１０８Ａには液晶表示部１０９が接続され、液晶表示部１０９は、液晶表示部制御装置１０８Ａの制御により、デバイス１０５、デバイス１０７からの表示データを表示領域毎に切り換えて表示する。
【００２７】
なお、液晶表示部制御装置１０８Ａはデバイス１０５又はデバイス１０７のいずれか一方に内蔵可能である。構成を簡易化するためである。
図２は図１における液晶表示部制御装置１０８Ａの概略構成を示すブロック図である。本図に示すように、液晶表示部制御装置１０８Ａにはインターフェース（Ｉ／Ｆ）２０１、インターフェース２０２が設けられ、インターフェース２０１、インターフェース２０２はそれぞれデバイス１０５、デバイス１０７のインターフェースの機能を有する。
【００２８】
インターフェース２０１、インターフェース２０２はデバイス１０５、デバイス１０７から表示データ、設定データ、制御信号ａをそれぞれ受け取る。
インターフェース２０１、インターフェース２０２には表示データ格納部２０３、表示データ格納部２０４がそれぞれ接続され、表示データ格納部２０３、表示データ格納部２０４はインターフェース２０１、インターフェース２０２からの制御信号ａに基づき表示データを格納する。ここに、表示データ格納部２０３、表示データ格納部２０４はそれぞれＶＲＡＭ（Ｖｉｄｅｏ  Ｒａｍｄｏｍ  Ａｃｃｅｓｓ  Ｍｅｍｏｒｙ）で形成される。なお、１つのＶＲＡＭに二つの領域を設けて、それぞれの領域を表示データ格納部２０３、表示データ格納部２０４としてもよい。
【００２９】
液晶表示部制御装置１０８Ａには制御回路２０５が設けられ、制御回路２０５には表示データ格納部２０３、表示データ格納部２０４、インターフェース２０１、インターフェース２０２が接続される。
制御回路２０５はインターフェース２０１、インターフェース２０２から設定データを受け取り、送られてきた設定データに応じて制御信号ｂを出力し表示データ格納部２０３、表示データ格納部２０４から制御信号ｂに基づき表示データを選択して読み出し、表示データ、制御信号ｃを液晶表示部１０９に転送し、制御信号ｃに基づき液晶表示部１０９に表示データを表示させる。
【００３０】
以上の説明では２つのデバイスについて説明を行ったが、複数のデバイスに対しても適用可能である。種々の高機能のアプリケーション機能を有する複数のデバイスに対応可能とするためである。
また、図２では、設定データはインターフェース２０１及びインターフェース２０２の双方から制御回路２０５に転送しているが、インターフェース２０１及びインターフェース２０２のいずれか一方から転送してもよい。インターフェース２０１及びインターフェース２０２からの表示データの同時転送、個別転送に対応可能とするためである。
【実施例１】
【００３１】
図３は図１における変形例に係る携帯電話機の液晶表示部制御装置の概略構成を示すブロック図である。本図に示すように、携帯電話機１００には図１における表示データ装置１００Ａが適用され、携帯電話機１００の制御用ＣＰＵ１０５及びアプリケーション用ＣＰＵ１０７は図１におけるデバイス１０５、デバイス１０７に対応する。
図８と比較して、液晶表示部１０９の入力側に設けられる液晶表示部制御装置１０８Ａには制御用ＣＰＵ１０５及びアプリケーション用ＣＰＵ１０７が並列に接続される。
【００３２】
なお、複数のデバイスの例として、携帯電話機１００の制御用ＣＰＵ１０５及びアプリケーション用ＣＰＵ１０７以外にテレビジョン受信のアプリケーションの高機能のＣＰＵを設けるようにしてもよい。
図４は図２の液晶表示部制御装置１０８Ａにおける制御回路２０５から液晶表示部１０９に転送する詳細な表示データ例を図１の携帯電話機１００について説明する図である。
本図(ａ)に示すように、表示データ格納部２０３には液晶表示部１０９の表示領域のラインＡからラインＢに対して電池の充電状態の表示データ、アンテナ１０１の受信状態の表示データが格納され、液晶表示部１０９の表示領域のラインＢからラインＣに対してカレンダの表示データが格納され、液晶表示部１０９の表示領域のラインＣからラインＤに対して日付、時刻の表示データが格納される。
【００３３】
本図(ｂ)に示すように、表示データ格納部２０４には液晶表示部１０９の表示領域のラインＡからラインＢに対して黒部分の表示データが格納され、液晶表示部１０９の表示領域のラインＢからラインＣに対して画像の表示データが格納され、液晶表示部１０９の表示領域のラインＣからラインＤに対して黒部分の表示データが格納される。
本図(ｃ)に示すように、制御回路２０５は表示データ格納部２０３及び表示データ格納部２０４から受け取った設定データに応じて表示データ格納部２０３及び表示データ格納部２０４から表示データを読み出し液晶表示部１０９に転送し表示させる。一例として、表示データ格納部２０３から液晶表示部１０９には液晶表示部１０９の表示領域のラインＡからラインＢに対して電池の充電状態の表示データ、アンテナ１０１の受信状態の表示データが転送され表示され、表示データ格納部２０４から液晶表示部１０９には液晶表示部１０９の表示領域のラインＢからラインＣに対して画像の表示データが転送され表示され、表示データ格納部２０３から液晶表示部１０９には液晶表示部１０９の表示領域のラインＣからラインＤに対して日付、時刻の表示データが転送され表示される。
【００３４】
このようにして、制御用ＣＰＵ１０５及びアプリケーション用ＣＰＵ１０７からの表示データが液晶表示部１０９に重ね合わされて表示される。
図５は図２における制御回路２０５の動作を説明するフローチャートである。本図に示すように、ステップ３０１において、表示が開始されると、制御回路２０５は、最初に垂直同期信号を液晶表示部１０９に出力する。
【００３５】
ステップ３０２において、次に、制御回路２０５は、水平同期信号を液晶表示部１０９に出力する。
ステップ３０３において、制御回路２０５は、設定データに基づき、現在のラインが表示データ格納部２０３に格納されている表示データを表示するラインか、又は、表示データ格納部２０４に格納されている表示データを表示するラインかを判断する。
【００３６】
ステップ３０４において、制御回路２０５は、現在のラインが表示データ格納部２０３に格納されている表示データを表示するラインであると判断した場合、表示データ格納部２０３に格納されている表示データの１ライン分の表示データを液晶表示部１０９に転送し、表示させる。
ステップ３０５において、制御回路２０５は、現在のラインが表示データ格納部２０４に格納されている表示データを表示するラインであると判断した場合、表示データ格納部２０４に格納されている表示データの１ライン分の表示データを液晶表示部１０９に転送し、表示させる。
【００３７】
ステップ３０６において、制御回路２０５は、表示データの転送後に表示領域の最終ラインであるかを判断する。
ステップ３０７において、制御回路２０５は、表示領域の最終ライン以外と判断した場合、ライン数をカウントアップし、ステップ３０２に戻り、次のラインの転送、表示に進む。
【００３８】
ステップ３０８において、制御回路２０５は、表示領域の最終ラインと判断した場合、ライン数をクリアし、表示領域の画面分の転送、表示を終了する。
以上説明したように、本発明によれば、各デバイス又はＣＰＵから送られてくる表示データを液晶表示部の表示領域毎に切り換えて、各デバイス又はＣＰＵは表示データを書き換える時だけ表示データを転送すればよくなるので、デバイス又はＣＰＵを可能な限りスリープ状態にさせ電池の無駄な消費を防止することが可能になる。
【００３９】
さらに、デバイス又はＣＰＵ間での表示データの転送を不要としたので、デバイス又はＣＰＵの処理速度の低下を防止することが可能になる。
【実施例２】
【００４０】
図６は図４の詳細な表示データの別の例を説明する図である。図４と比較し、アプリケーション用ＣＰＵ１０７から表示データを受け取った表示データ格納部２０４において、本図(ｂ)に示すように、表示されない表示領域の部分がある場合には、表示されない表示領域の部分について、すなわち、図４におけるラインＡからラインＢ、ラインＣからラインＤの表示領域については、格納すべき領域を確保せず、表示されるラインＢからラインＣ表示領域のみを確保する構成にしてもよい。
【００４１】
上記では、表示データ格納部２０４について説明したが、同様に、表示データ格納部２０３において表示されない表示領域の部分についても、格納すべき領域を確保しない構成にしてもよい。
これにより、メモリ領域の効率化が可能になる。
【実施例３】
【００４２】
図７は図６の詳細な表示データの別の例を説明する図である。図６と比較して、本図(ｂ)に示すように、表示データ格納部２０４内にラインＢからラインＣの表示領域にマスクデータの領域が追加される。本図(ｂ)のマスクデータは黒の部分の領域では本図(ａ)の表示データ格納部２０３の表示データの部分をマスクし表示させず、本図(ｃ)の表示データ格納部２０４の表示データの部分を表示する。本図(ｂ)のマスクデータにおけるラインＡからラインＢ、ラインＣからラインＤの領域は白の部分では本図(ａ)の表示データ格納部２０３の表示データの部分を表示する。この場合、ラインＡからラインＢ、ラインＣからラインＤの領域ではライン表示データ格納部２０４に表示データが格納されていないので、表示データ格納部２０３の表示データの部分を表示することになる。
【００４３】
このように、本発明では、表示の設定をマスクデータにより制御しているので、ビット単位での切り換えが可能になる。
以上の説明では、表示データ格納部２０４内にマスクデータの領域を追加するように説明したが、表示データ格納部２０３内にマスクデータの領域を追加するようにしてもよい。
【産業上の利用可能性】
【００４４】
以上の説明では、一例として、携帯電話機の適用について説明したが、これに限らず、液晶表示部を備えるＰＤＡ（携帯情報端末）、ＰＨＳ（簡易型携帯電話）を含む携帯機器に適用可能である。
【図面の簡単な説明】
【００４５】
【図１】本発明に係る表示データ転送装置の概略構成を示すブロック図である。
【図２】図１における液晶表示部制御装置１０８Ａの概略構成を示すブロック図である。
【図３】図１における変形例に係る携帯電話機の液晶表示部制御装置の概略構成を示すブロック図である。
【図４】図２の液晶表示部制御装置１０８Ａにおける制御回路２０５から液晶表示部１０９に転送する詳細な表示データ例を図１の携帯電話機１００について説明する図である。
【図５】図２における制御回路２０５の動作を説明するフローチャートである。
【図６】図４の詳細な表示データの別の例を説明する図である。
【図７】図６の詳細な表示データの別の例を説明する図である。
【図８】本発明の前提となる携帯電話機の概略構成を示すブロック図である。
【符号の説明】
【００４６】
１００…携帯電話機
１００Ａ…表示データ装置
１０１…アンテナ
１０２…無線部
１０３…ベースバンド部
１０４…送受話部
１０５…制御用ＣＰＵ、デバイス
１０６…操作キー
１０７…アプリケーション用ＣＰＵ、デバイス
１０８Ａ…液晶表示部制御装置
１０９…液晶表示部
２０１、２０２…インターフェース
２０３、２０４…表示データ格納部
２０５…制御回路
【図１】
2006079013.tif 000003
【図２】
2006079013.tif 000004
【図３】
2006079013.tif 000005
【図４】
2006079013.tif 000006
【図５】
2006079013.tif 000007
【図６】
2006079013.tif 000008
【図７】
2006079013.tif 000009
【図８】
2006079013.tif 000010